(57)【要約】      （修正有）【課題】ディスプレイを用いた含水率を測定する電子装置及び電子装置の動作方法を提供する。【解決手段】電子装置は、静電容量センサーを含むディスプレイ３１０と、プロセッサ３２０と、を含み、プロセッサ３２０は、静電容量センサー３１５に係る少なくとも一つの属性を第１属性に設定し、第１属性に設定された状態で外部客体の接触に反応して静電容量センサー３１５を用いて測定された第１データを獲得し、第１データに基づいて、ディスプレイ３１０に対するタッチ入力を決定し、指定された条件を満たす場合、少なくとも一つの属性を第２属性に設定し、第２属性に設定された状態で外部客体の接触に反応して静電容量センサー３１５を用いて測定された第２データを獲得し、第２データに基づいてディスプレイ３１０に接触した外部客体に係る含水率を決定するように設定される。【選択図】図３
2019098160.tif 000002
【特許請求の範囲】
【請求項１】
電子装置であって、
静電容量センサーを含むディスプレイと、
少なくとも一つのプロセッサと、を含み、
前記少なくとも一つのプロセッサは、
前記静電容量センサーに係る少なくとも一つの属性を第１属性に設定し、
前記第１属性に設定された状態で外部客体の前記ディスプレイ上への接触に反応して前記静電容量センサーを用いて測定された第１データを獲得し、
前記第１データに基づいて、前記ディスプレイに対するタッチ入力を決定し、
前記決定されたタッチ入力が予め指定された条件を満足するか否かを検出し、
前記決定されたタッチ入力が前記予め指定された条件を満たす場合、前記少なくとも一つの属性を第２属性に設定し、
前記第２属性に設定された状態で前記外部客体の接触に反応して前記静電容量センサーを用いて測定された第２データを獲得し、
前記第２データに基づいて前記ディスプレイに接触した前記外部客体に係る含水率を決定するように設定された、ことを特徴とする電子装置。
【請求項２】
前記少なくとも一つのプロセッサは、前記第２属性に設定する動作の少なくとも一部で、
前記静電容量センサーの充電速度又は放電速度（ｒａｔｅ）のうちの少なくとも一つを変更するように設定された、ことを特徴とする請求項１に記載の電子装置。
【請求項３】
前記少なくとも一つのプロセッサは、前記第２属性に設定する動作の少なくとも一部で、
前記静電容量センサーの充電を中止するように設定された、ことを特徴とする請求項１に記載の電子装置。
【請求項４】
前記少なくとも一つのプロセッサは、前記第２属性に設定する動作の少なくとも一部で、前記静電容量センサーの充電速度又は放電速度のうちの少なくとも一つを前記第１属性に対応する充電速度又は放電速度より減少するように設定された、ことを特徴とする請求項１に記載の電子装置。
【請求項５】
前記少なくとも一つのプロセッサは、
前記予め指定された条件を満たすとの決定に対応して前記静電容量センサーに含まれた少なくとも一つ以上のキャパシターの充電を前記第１属性に設定された状態での電荷量以上で充電するために前記少なくとも一つ以上のキャパシターの充電速度を増加させて、
前記少なくとも一つ以上のキャパシターの電荷量が前記第１属性に設定された状態での電荷量以上に充電されることの確認に対応して前記少なくとも一つの属性を前記第２属性に設定するように設定された、ことを特徴とする請求項１に記載の電子装置。
【請求項６】
前記少なくとも一つのプロセッサは、前記第２属性に設定する動作の少なくとも一部で、
前記第２属性に設定された状態での前記静電容量センサーの充電電荷量が前記第１属性で設定された状態での前記静電容量センサーの充電電荷量より大きいように設定（ｓｅｔ）するように設定された、ことを特徴とする請求項１に記載の電子装置。
【請求項７】
前記少なくとも一つのプロセッサは、前記電子装置が通話モードに進入すると、前記予め指定された条件を満足したと決定するように設定された、ことを特徴とする請求項１に記載の電子装置。
【請求項８】
前記電子装置は近接センサー、グリップセンサー、又は通信モジュールのうちの少なくとも一つをさらに含み、
前記少なくとも一つのプロセッサは、
前記電子装置の近接センサー、グリップセンサー、又は通信モジュールのうちの少なくとも一つを介して前記電子装置に係る状態情報を獲得し、前記状態情報に基づいて前記通話モードに進入したか否かを確認するように設定された、ことを特徴とする請求項７に記載の電子装置。
【請求項９】
前記少なくとも一つのプロセッサは、
前記第１データに基づいて前記外部客体が前記ディスプレイ上に接触した面積、前記外部客体が前記ディスプレイ上に対する接触を維持する時間を含む情報を確認し、
前記確認された情報に基づいて前記予め指定された条件の満足可否を決定するように設定された、ことを特徴とする請求項１に記載の電子装置。
【請求項１０】
前記電子装置は、
前記第２データと含水率に係るデータがマッピングされたテーブルが記憶されたメモリーをさらに含み、
前記少なくとも一つのプロセッサは、
前記テーブルに基づいて前記獲得された第２データに対応する含水率を決定するように設定された、ことを特徴とする請求項１に記載の電子装置。
【請求項１１】
電子装置の動作方法であって、
ディスプレイに含まれた静電容量センサーに係る少なくとも一つの属性を第１属性に設定する動作と、
前記第１属性に設定された状態で外部客体の前記ディスプレイ上への接触に反応して前記静電容量センサーを用いて測定された第１データを獲得する動作と、
前記第１データに基づいて、前記ディスプレイに対するタッチ入力を決定する動作と、
前記決定されたタッチ入力が予め指定された条件を満足するか否かを検出する動作と、
前記決定されたタッチ入力が前記予め指定された条件を満たす場合、前記少なくとも一つの属性を第２属性に設定する動作と、
前記第２属性に設定された状態で前記外部客体の接触に反応して前記静電容量センサーを用いて測定された第２データを獲得する動作と、
前記第２データに基づいて前記ディスプレイに接触した前記外部客体に係る含水率を決定する動作と、を含むことを特徴とする電子装置の動作方法。
【請求項１２】
前記第２属性に設定する動作は、
前記静電容量センサーの充電速度又は放電速度（ｒａｔｅ）のうちの少なくとも一つを変更する動作を含む、ことを特徴とする請求項１１に記載の電子装置の動作方法。
【請求項１３】
前記第２属性に設定する動作は、
前記静電容量センサーの充電を中止する動作を含む、ことを特徴とする請求項１１に記載の電子装置の動作方法。
【請求項１４】
前記第２属性に設定する動作は
前記静電容量センサーの充電速度又は放電速度のうちの少なくとも一つを前記第１属性に対応する充電速度又は放電速度より減少させる動作を含む、ことを特徴とする請求項１１に記載の電子装置の動作方法。
【請求項１５】
前記第２属性に設定する動作は、
前記予め指定された条件を満たすとの決定に対応して前記静電容量センサーに含まれた少なくとも一つ以上のキャパシターの充電を前記第１属性に設定された状態での電荷量以上に充電するために前記少なくとも一つ以上のキャパシターの充電速度を増加する動作と、
前記少なくとも一つ以上のキャパシターの電荷量が前記第１属性に設定された状態での電荷量以上に充電されたことの確認に対応して前記少なくとも一つの属性を前記第２属性に設定する動作と、を含む、ことを特徴とする請求項１１に記載の電子装置の動作方法。
【発明の詳細な説明】
【技術分野】
【０００１】
本発明は、ディスプレイを用いて含水率を測定する電子装置及び電子装置の動作方法に関する。
【背景技術】
【０００２】
スマートフォン（ｓｍａｒｔ  ｐｈｏｎｅ）、タブレットＰＣ（ｔａｂｌｅｔ  ＰＣ）、ＰＭＰ（ｐｏｒｔａｂｌｅ  ｍｕｌｔｉｍｅｄｉａ  ｐｌａｙｅｒ）、ＰＤＡ（ｐｅｒｓｏｎａｌ  ｄｉｇｉｔａｌ  ａｓｓｉｓｔａｎｔ）、ラップトップＰＣ（ｌａｐｔｏｐ  ｐｅｒｓｏｎａｌ  ｃｏｍｐｕｔｅｒ）及びウェアラブル機器（ｗｅａｒａｂｌｅ  ｄｅｖｉｃｅ）などの多様な電子装置が普及している。
【０００３】
また、近年、グルーミングなど皮膚管理に対する関心が増加している。皮膚管理で重要な要素のうちの一つは皮膚に含まれる水分で、水分の不均衡は角質を発生するなどの問題を発生させる。このような趨勢に応じて、皮膚の含水率（ｈｙｄｒａｔｕｒｅ）を測定する多様な技術が普及している。
【０００４】
含水率を測定する多様な方式のうち電気信号を用いて含水率を測定する方式がある。含水率にしたがって電気信号の電気的特性が異なり変化することを用いて含水率を測定する。
【先行技術文献】
【特許文献】
【０００５】
【特許文献１】特開２０１２−０７１０５５号公報
【発明の概要】
【発明が解決しようとする課題】
【０００６】
電気信号を用いて含水率を測定する方式のうちのキャパシタンスの変化を用いて含水率を測定する方式がある。キャパシタンスに基づく含水率測定方式は、皮膚などの外部客体がディスプレイ上に接触した時、一定の間隔を有する電極と誘電体の間に発生する電気的特性変化で皮膚含水率を測定する方式を意味する。キャパシタンスに基づく含水率測定方式をサポートする別途の電子装置（ｃｏｒｎｅｏｍｅｔｅｒ）が存在する。
【０００７】
ただ、含水率測定方式はユーザに広く普及したスマートフォンなどの電子装置ではないキャパシタンスに基づく測定方式をサポートする別途の電子装置（ｃｏｒｎｅｏｍｅｔｅｒ）が必要であるという問題がある。また、含水率測定の時の別途の電子装置が必要であり、別途の電子装置の購買費用などにより含水率測定が広く普及しない問題がある。
【課題を解決するための手段】
【０００８】
本発明の多様な実施形態による電子装置は、静電容量センサーを含むディスプレイと、少なくとも一つのプロセッサと、を含み、前記少なくとも一つのプロセッサは、前記静電容量センサーに係る少なくとも一つの属性を第１属性に設定し、前記第１属性に設定された状態で外部客体の前記ディスプレイ上への接触に反応して前記静電容量センサーを用いて測定された第１データを獲得し、前記第１データに基づいて、前記ディスプレイに対するタッチ入力を決定し、前記決定されたタッチ入力が予め指定された条件を満足するか否かを検出し、前記決定されたタッチ入力が前記予め指定された条件を満たす場合、前記少なくとも一つの属性を第２属性で設定し、前記第２属性に設定された状態で前記外部客体の接触に反応して前記静電容量センサーを用いて測定された第２データを獲得し、前記第２データに基づいて前記ディスプレイに接触した前記外部客体に係る含水率を決定するように設定される。
【０００９】
本発明の多様な実施形態による電子装置の動作方法は、ディスプレイに含まれた静電容量センサーに係る少なくとも一つの属性を第１属性で設定する動作と、前記第１属性で設定された状態で外部客体の前記ディスプレイ上への接触に反応して前記静電容量センサーを用いて測定された第１データを獲得する動作と、前記第１データに基づいて、前記ディスプレイに対するタッチ入力を決定する動作と、前記決定されたタッチ入力が予め指定された条件を満足するか否かを検出する動作と、前記決定されたタッチ入力が前記予め指定された条件を満たす場合、前記少なくとも一つの属性を第２属性に設定する動作と、前記第２属性に設定された状態で前記外部客体の接触に反応して前記静電容量センサーを用いて測定された第２データを獲得する動作と、前記第２データに基づいて前記ディスプレイに接触した前記外部客体に係る含水率を決定する動作と、を含む。
【発明の効果】
【００１０】
本発明によるディスプレイを用いて含水率を測定する電子装置及び電子装置の動作方法は、外部客体がディスプレイに接触して発生するキャパシタンスの変化を用いて含水率を正確に測定できる。
【００１１】
本発明によるディスプレイを用いて含水率を測定する電子装置及び電子装置の動作方法は、含水率測定をサポートする別途の外部電子装置無しに、静電容量方式のタッチ入力をサポートするディスプレイを用いて含水率を測定できる。
【００１２】
本発明によるディスプレイを用いて含水率を測定する電子装置及び電子装置の動作方法は、タッチ検出モードと含水率測定モードのそれぞれの静電容量センサーに入力される信号の周波数を異なるように設定し、電子装置がタッチ検出及び含水率測定をいずれもサポートできる。
【図面の簡単な説明】
【００１３】
【図１】本発明の多様な実施形態による、ネットワーク環境内の複数のカメラを用いて映像を獲得するための電子装置のブロック図である。
【図２】多様な実施形態によるプログラムのブロック図である。
【図３】本発明の多様な実施形態による、電子装置のブロック図である。
【図４】本発明の多様な実施形態による電子装置の静電容量センサーを示す図面である。
【図５】本発明の多様な実施形態による電子装置おいて、静電容量センサーの送信チャンネルから受信チャンネルに入力される信号を示す図面である。
【図６】本発明の多様な実施形態による電子装置おいて、静電容量センサーの送信チャンネルから受信チャンネルに入力される信号を示す図面である。
【図７】本発明の多様な実施形態による電子装置において、静電容量センサーの送信チャンネルから受信チャンネルに入力される信号を示す図面である。
【図８】本発明の多様な実施形態による電子装置において、静電容量センサーの送信チャンネルから受信チャンネルに入力される信号を示す図面である。
【図９】本発明の多様な実施形態による電子装置において、外部客体がディスプレイに接触する面積を示す図面である。
【図１０】本発明の多様な実施形態による電子装置で、第２データと含水率がマッピングされたテーブルの一実施形態を示す図面である。
【図１１】本発明の多様な実施形態による電子装置で、測定された含水率に係る情報を表示する一実施形態を示す図面である。
【図１２】本発明の多様な実施形態による電子装置の動作方法の動作フローチャートである。
【図１３】本発明の他の実施形態による電子装置の動作方法の動作フローチャートである。
【図１４】本発明のまた他の実施形態による電子装置の動作方法の動作フローチャートである。
【発明を実施するための形態】
【００１４】
図１は、本発明の多様な実施形態による、ネットワーク環境１００内の複数のカメラを用いて映像を獲得するための電子装置１０１のブロック図である。
【００１５】
図１を参照すれば、ネットワーク環境１００において電子装置１０１は、第１ネットワーク１９８（例えば、近距離無線通信）を介して電子装置１０２と通信したり、又は第２ネットワーク１９９（例えば、遠距離無線通信）を介して電子装置１０４又はサーバー１０８と通信する。一実施形態によれば、電子装置１０１はサーバー１０８を介して電子装置１０４と通信する。一実施形態によれば、電子装置１０１はプロセッサ１２０、メモリー１３０、入力装置１５０、音響出力装置１５５、表示装置１６０、オーディオモジュール１７０、センサーモジュール１７６、インターフェース１７７、ハプティックモジュール１７９、カメラモジュール１８０、電力管理モジュール１８８、バッテリー１８９、通信モジュール１９０、加入者識別モジュール１９６、及びアンテナモジュール１９７を含む。ある実施形態では、電子装置１０１にはこの構成要素のうちの少なくとも一つ（例えば、表示装置１６０又はカメラモジュール１８０）が省略されるか、他の構成要素が追加される。ある実施形態では、例えば、表示装置１６０（例えば、ディスプレイ）にエンベッディングされたセンサーモジュール１７６（例えば、指紋センサー、虹彩センサー、又は照度センサー）の場合のように一部の構成要素が統合されて具現される。
【００１６】
プロセッサ１２０は、例えば、ソフトウェア（例えば、プログラム１４０）を駆動してプロセッサ１２０に接続された電子装置１０１の少なくとも一つの他の構成要素（例えば、ハードウェア又はソフトウェア構成要素）を制御し、多様なデータ処理及び演算を行う。プロセッサ１２０は他の構成要素（例えば、センサーモジュール１７６又は通信モジュール１９０）から受信された命令又はデータを揮発性メモリー１３２にロードして処理し、結果データを非揮発性メモリー１３４に記憶させる。一実施形態によれば、プロセッサ１２０は、メインプロセッサ１２１（例えば、中央処理装置又はアプリケーションプロセッサ）、及びこれとは独立的に操作され、メインプロセッサ１２１より低消費電力で、指定された機能に特化された補助プロセッサ１２３（例えば、グラフィック処理装置、イメージシグナルプロセッサ、センサーハーブプロセッサ、又はコミュニケーションプロセッサ）を含む。ここで、補助プロセッサ１２３はメインプロセッサ１２１と別個で、又はエンベッディングされて操作される。
【００１７】
このような場合、補助プロセッサ１２３は、例えば、メインプロセッサ１２１がインアクティブ（例えば、スリープ）状態にある間メインプロセッサ１２１の代わり、又はメインプロセッサ１２１がアクティブ（例えば、アプリケーション実行）状態にあるうちにメインプロセッサ１２１と共に、電子装置１０１の構成要素のうちの少なくとも一つの構成要素（例えば、表示装置１６０、センサーモジュール１７６、又は通信モジュール１９０）に係る機能又は状態の少なくとも一部を制御する。一実施形態によれば、補助プロセッサ１２３（例えば、イメージシグナルプロセッサ又はコミュニケーションプロセッサ）は、機能的に関連ある他の構成要素（例えば、カメラモジュール１８０又は通信モジュール１９０）の一部構成要素として具現される。メモリー１３０は、電子装置１０１の少なくとも一つの構成要素（例えば、プロセッサ１２０又はセンサーモジュール１７６）によって用いられる多様なデータ、例えば、ソフトウェア（例えば、プログラム１４０）及び、これに係る命令に対する入力データ又は出力データを記憶する。メモリー１３０は、揮発性メモリー１３２又は非揮発性メモリー１３４を含む。
【００１８】
プログラム１４０はメモリー１３０に記憶されるソフトウェアであり、例えば、オペレーティングシステム１４２、ミドルウェア１４４又はアプリケーション１４６を含む。
【００１９】
入力装置１５０は、電子装置１０１の構成要素（例えば、プロセッサ１２０）に用いられる命令又はデータを電子装置１０１の外部（例えば、ユーザ）から受信するための装置として、例えば、マイク、マウス、又はキーボードを含む。
【００２０】
音響出力装置１５５は、音響信号を電子装置１０１の外部で出力するための装置として、例えば、マルチメディア再生又は録音再生のように一般的な用途で用いられるスピーカーと電話受信専用で用いられるレシーバーを含む。一実施形態によれば、レシーバーはスピーカーと一体又は別度で形成される。
【００２１】
表示装置１６０は、電子装置１０１のユーザに情報を視覚的に提供するための装置として、例えば、ディスプレイ、ホログラム装置、又はプロジェクター及び当該装置を制御するための制御回路を含む。一実施形態によれば、表示装置１６０はタッチ回路（ｔｏｕｃｈ  ｃｉｒｃｕｉｔｒｙ）又はタッチに対する圧力の強度を測定する圧力センサーを含む。
【００２２】
オーディオモジュール１７０は、音と電気信号を双方向で変換させる。一実施形態によれば、オーディオモジュール１７０は、入力装置１５０を介して音を獲得したり、音響出力装置１５５、又は電子装置１０１と有線又は無線で接続された外部電子装置（例えば、電子装置１０２（例えば、スピーカー又はヘッドフォン））を介して音を出力する。
【００２３】
センサーモジュール１７６は、電子装置１０１の内部の作動状態（例えば、電力又は温度）、又は外部の環境状態に対応する電気信号又はデータ値を生成する。センサーモジュール１７６は、例えば、ジェスチャーセンサー、ジャイロセンサー、気圧センサー、マグネチックセンサー、加速度センサー、グリップセンサー、近接センサー、カラーセンサー、ＩＲ（ｉｎｆｒａｒｅｄ）センサー、生体センサー、温度センサー、湿度センサー、又は照度センサーを含む。
【００２４】
インターフェース１７７は、外部電子装置（例えば、電子装置１０２）と有線又は無線で接続する指定されたプロトコルをサポートする。一実施形態によれば、インターフェース１７７は、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＵＳＢ（ｕｎｉｖｅｒｓａｌ  ｓｅｒｉａｌ  ｂｕｓ）インターフェース、ＳＤカードインターフェース、又はオーディオインターフェースを含む。
【００２５】
接続端子１７８は、電子装置１０１と外部電子装置（例えば、電子装置１０２）を物理的に接続させるコネクター、例えば、ＨＤＭＩ（登録商標）コネクター、ＵＳＢコネクター、ＳＤカードコネクター、又はオーディオコネクター（例えば、ヘッドフォンコネクター）を含む。
【００２６】
ハプティックモジュール１７９は、電気的信号をユーザが触覚又は運動感覚を介して認知できる機械的な刺激（例えば、振動又は動き）又は電気的な刺激に変換する。ハプティックモジュール１７９は、例えば、モーター、圧電素子、又は電気刺激装置を含む。
【００２７】
カメラモジュール１８０は静止映像及び動画を撮影する。一実施形態によれば、カメラモジュール１８０は一つ以上のレンズ、イメージセンサー、イメージシグナルプロセッサ、又はフラッシュを含む。
【００２８】
電力管理モジュール１８８は、電子装置１０１に供給される電力を管理するためのモジュールであり、例えば、ＰＭＩＣ（ｐｏｗｅｒ  ｍａｎａｇｅｍｅｎｔ  ｉｎｔｅｇｒａｔｅｄ  ｃｉｒｃｕｉｔ）の少なくとも一部として構成される。
【００２９】
バッテリー１８９は、電子装置１０１の少なくとも一つの構成要素に電力を供給するための装置であり、例えば、再充電不可能な１次電池、再充電可能な２次電池又は燃料電池を含む。
【００３０】
通信モジュール１９０は、電子装置１０１と外部電子装置（例えば、電子装置１０２、電子装置１０４、又はサーバー１０８）の間の有線又は無線通信チャンネルの樹立、及び樹立された通信チャンネルを通じた通信実行をサポートする。通信モジュール１９０は、プロセッサ１２０（例えば、アプリケーションプロセッサ）とは独立的に操作される、有線通信又は無線通信をサポートする一つ以上のコミュニケーションプロセッサを含む。一実施形態によれば、通信モジュール１９０は、無線通信モジュール１９２（例えば、セルラー通信モジュール、近距離無線通信モジュール、又はＧＮＳＳ（ｇｌｏｂａｌ  ｎａｖｉｇａｔｉｏｎ  ｓａｔｅｌｌｉｔｅ  ｓｙｓｔｅｍ）通信モジュール）又は有線通信モジュール１９４（例えば、ＬＡＮ（ｌｏｃａｌ  ａｒｅａ  ｎｅｔｗｏｒｋ）通信モジュール、又は電力線通信モジュール）を含み、その中に該当する通信モジュールを用いて第１ネットワーク１９８（例えば、ブルートゥース（登録商標）、ＷｉＦｉｄｉｒｅｃｔ又はＩｒＤＡ（ｉｎｆｒａｒｅｄ  ｄａｔａ  ａｓｓｏｃｉａｔｉｏｎ）のような近距離通信ネットワーク）又は第２ネットワーク１９９（例えば、セルラーネットワーク、インターネット、又はコンピューターネットワーク（例えば、ＬＡＮ又はＷＡＮ）のような遠距離通信ネットワーク）を介して外部電子装置と通信する。上述した多くの種類の通信モジュール１９０は一つのチップで具現されたり、又はそれぞれ別途のチップで具現される。
【００３１】
一実施形態によれば、無線通信モジュール１９２は加入者識別モジュール１９６に記憶されたユーザ情報を用いて通信ネットワーク内で電子装置１０１を区別及び認証する。
【００３２】
アンテナモジュール１９７は、信号又は電力を外部に送信したり外部から受信するための一つ以上のアンテナを含む。一実施形態によれば、通信モジュール１９０（例えば、無線通信モジュール１９２）は、通信方式に適合したアンテナを介して信号を外部電子装置に送信したり、外部電子装置から受信する。
【００３３】
前記構成要素のうちの一部構成要素は周辺機器の間の通信方式（例えば、バス、ＧＰＩＯ（ｇｅｎｅｒａｌ  ｐｕｒｐｏｓｅ  ｉｎｐｕｔ／ｏｕｔｐｕｔ）、ＳＰＩ（ｓｅｒｉａｌ  ｐｅｒｉｐｈｅｒａｌ  ｉｎｔｅｒｆａｃｅ）、又はＭＩＰＩ（ｍｏｂｉｌｅ  ｉｎｄｕｓｔｒｙ  ｐｒｏｃｅｓｓｏｒ  ｉｎｔｅｒｆａｃｅ））を介して互いに接続されて信号（例えば、命令又はデータ）を相互間で交換する。
【００３４】
一実施形態によれば、命令又はデータは、第２ネットワーク１９９に接続されたサーバー１０８）を介して電子装置１０１と外部の電子装置１０４の間で送信又は受信される。電子装置１０２、１０４のそれぞれは、電子装置１０１と同一又は他の種類の装置であれば良い。一実施形態によれば、電子装置１０１で実行される動作の全部又は一部は他の一つ又は複数の外部電子装置で実行できる。一実施形態によれば、電子装置１０１がある機能やサービスを自動で又はリクエストにより実行しなければならない場合に、電子装置１０１は機能又はサービスを自身で実行する代りに、又は追加的にそれと連関された少なくとも一部機能を外部電子装置にリクエストできる。前記リクエストを受信した外部電子装置はリクエストされた機能又は追加機能を行い、その結果を電子装置１０１へ伝達する。
【００３５】
電子装置１０１は受信された結果をそのまま、又は追加的に処理してリクエストされた機能やサービスを提供する。これのために、例えば、クラウドコンピュータ、分散コンピュータ、又はクライアント−サーバーコンピュータ技術が用いられる。
【００３６】
図２は、多様な実施形態によるプログラム１４０のブロック図２００である。一実施形態によれば、プログラム１４０は電子装置１０１の一つ以上のリソースを制御するためのオペレーティングシステム１４２、ミドルウェア１４４、又は前記オペレーティングシステム１４２上で実行可能なアプリケーション１４６を含む。オペレーティングシステム１４２は、例えば、ＡｎｄｒｏｉｄＴＭ、ｉＯＳＴＭ、ＷｉｎｄｏｗｓＴＭ、ＳｙｍｂｉａｎＴＭ、ＴｉｚｅｎＴＭ、又はＢａｄａＴＭを含む。プログラム１４０のうちの少なくとも一部プログラムは、例えば、製造時に電子装置１０１にフリーロードされたり、又はユーザの使用環境で外部電子装置（例えば、電子装置１０２又は１０４）、又はサーバー１０８からダウンロードされたり更新される。
【００３７】
オペレーティングシステム１４２は、電子装置１０１のシステムリソース（例えば、プロセス、メモリー、又はパワー）を制御（例えば、割り当て又は回収）する。オペレーティングシステム１４２は、電子装置１０１の他のハードウェアデバイス、例えば、入力装置１５０、音響出力装置１５５、表示装置１６０、オーディオモジュール１７０、センサーモジュール１７６、インターフェース１７７、ハプティックモジュール１７９、カメラモジュール１８０、電力管理モジュール１８８、バッテリー１８９、通信モジュール１９０、加入者識別モジュール１９６、又はアンテナモジュール１９７を駆動するための一つ以上のドライバープログラムを含む。
【００３８】
ミドルウェア１４４は、アプリケーション１４６が電子装置１０１の一つ以上のリソースが提供する機能又は情報を用いるように多様な機能をアプリケーション１４６で提供する。ミドルウェア１４４は、例えば、アプリケーションマネージャー２０１、ウィンドウマネージャー２０３、マルチメディアマネージャー２０５、リソースマネージャー２０７、パワーマネージャー２０９、データベースマネージャー２１１、パッケージマネージャー２１３、コネクティビティマネージャー２１５、ノーティフィケーションマネージャー２１７、  ロケーションマネージャー２１９、グラフィックマネージャー２２１、セキュリティマネージャー２２３、通話マネージャー２２５、又は音声認識マネージャー２２７を含む。アプリケーションマネージャー２０１は、例えば、アプリケーション１４６を管理する。ウィンドウマネージャー２０３は、例えば、画面で用いられるＧＵＩリソースを管理する。マルチメディアマネージャー２０５は、例えば、メディアファイルの再生に必要なフォーマットを把握し、当該フォーマットに当るコーデックを用いてメディアファイルのエンコード又はデコーディングを行う。リソースマネージャー２０７は、例えば、アプリケーション１４６のソースコード又はメモリーの空間を管理する。パワーマネージャー２０９は、例えば、バッテリーの容量、温度又はパワーを管理し、このうちの当該情報を用いて電子装置１０１の動作に必要な電力情報を決定又は提供する。一実施形態によれば、パワーマネージャー２０９はバイオス（ＢＩＯＳ：ｂａｓｉｃ  ｉｎｐｕｔ／ｏｕｔｐｕｔ  ｓｙｓｔｅｍ）と連動する。
【００３９】
データベースマネージャー２１１は、例えば、アプリケーション１４６で用いられるデータベースを生成、検索、又は変更する。パッケージマネージャー２１３は、例えば、パッケージファイルの形態で配布されるアプリケーションの設置又は更新を管理する。コネクティビティマネージャー２１５は、例えば、電子装置１０１と外部電子装置間の無線又は有線接続を管理する。ノーティフィケーションマネージャー２１７は、例えば、発生したイベント（例えば、通話、メッセージ、又はアラーム）をユーザに通知するための機能を提供する。ロケーションマネージャー２１９は、例えば、電子装置１０１の位置情報を管理する。グラフィックマネージャー２２１は、例えば、ユーザに提供されるグラフィック効果又はこれに係るユーザインターフェースを管理する。セキュリティマネージャー２２３は、例えば、システム保安又はユーザ認証を提供する。通話（ｔｅｌｅｐｈｏｎｙ）マネージャー２２５は、例えば、電子装置１０１の音声通話又は映像通話機能を管理する。音声認識マネージャー２２７は、例えば、ユーザの音声データをサーバー１０８に送信し、当該音声データに基づいて電子装置１０１で行われる機能に対応するコマンド（ｃｏｍｍａｎｄ）又は当該音声データに基づいて変換された文字データを受信する。一実施形態によれば、ミドルウェア２４４は動的に既存の構成要素を一部削除したり新しい構成要素を追加することができる。一実施形態によれば、ミドルウェア１４４の少なくとも一部はオペレーティングシステム１４２の一部に含まれるか、又はオペレーティングシステム１４２とは別途のソフトウェアで具現される。
【００４０】
アプリケーション１４６は、例えば、ホーム２５１、ダイヤラー２５３、ＳＭＳ／ＭＭＳ２５５、ＩＭ（ｉｎｓｔａｎｔ  ｍｅｓｓａｇｅ）２５７、ブラウザー２５９、カメラ２６１、アラーム２６３、コンタクト２６５、音声認識２６７、電子メール２６９、カレンダー２７１、メディアプレーヤー２７３、アルバム２７５、ウォッチ２７７、ヘルス２７９（例えば、運動量又は血糖などを測定）、又は環境情報２８１（例えば、気圧、湿度、又は温度情報）アプリケーションを含む。一実施形態によれば、アプリケーション１４６は電子装置１０１と外部電子装置間の情報交換をサポートする情報交換アプリケーション（図示せず）をさらに含む。情報交換アプリケーションは、例えば、外部電子装置に指定された情報（例えば、通話、メッセージ、又はアラーム）を伝達するためのノ−ティピケイションリレーアプリケーション、又は外部電子装置を管理するための装置管理アプリケーションを含む。ノーティフィケーションリレーアプリケーションは、例えば、電子装置１０１の他のアプリケーション（例えば、電子メールアプリケーション２６９）で発生したイベント（例えば、メール受信）に対応する通知情報を外部電子装置へ伝達したり、又は外部電子装置から通知情報を受信して電子装置１０１のユーザに提供する。装置管理アプリケーションは、例えば、電子装置１０１と通信する外部電子装置又はその一部構成要素（例えば、表示装置１６０）又はカメラモジュール１８０）のパワー（例えば、ターン−オン又はターン−オフ）又は機能（例えば、表示装置１６０）又はカメラモジュール１８０）の明るさ、解像度、又はフォーカス）を制御する。装置管理アプリケーションは、外部電子装置で動作するアプリケーションの設置、削除、又は更新をサポートする。
【００４１】
図３は、本発明の多様な実施形態による、電子装置のブロック図である。図３を参照すれば、本発明の多様な実施形態による電子装置（例えば、図１の電子装置１０１）はディスプレイ（例えば、図１の表示装置１６０、図３のディスプレイ３１０）及びプロセッサ（例えば、図１のプロセッサ１２０、３２０）を含む。
【００４２】
ディスプレイ３１０はプロセッサ３２０の制御下で多様なイメージ映像を表示する。
【００４３】
本発明の多様な実施形態によれば、ディスプレイ３１０は多様な外部客体の接触又は近接（例えば、ホバリング）を認識するタッチセンサーパネル（ｔｏｕｃｈ  ｓｅｎｓｏｒ  ｐａｎｅｌ、ＴＳＰ）の形態で具現される。タッチセンサーパネルは多様な構造（Ｇ２、Ｇ１Ｆ、ＧＦＦ、ＧＦｄ、ＧＦ２、ＧＦ１、ＧＦなど）及びタイプを有し、本発明の内容はタッチセンサーパネルの構造及びタイプと関係なくいずれも適用できる。
【００４４】
ディスプレイ３１０は多様な外部客体の接触又は近接を認知するため、静電容量センサー３１５を含む。静電容量センサー３１５は複数のキャパシター（ｃａｐａｃｉｔｏｒ）から構成され、静電容量センサー３１５はキャパシターに電気信号を印加する。キャパシターは電気信号の印加に対応して電荷を充電及び放電する。電気信号がキャパシターに印加されると、電気信号の電圧の大きさによってキャパシターに電荷が充電される。ディスプレイ３１０は静電容量センサー３１５で収集した信号に基づいてタッチ入力を受信する。
【００４５】
本発明の多様な実施形態によれば、静電容量センサー３１５は静電容量センサー３１５に含まれたキャパシターのそれぞれに設定された周期を有する電気信号を印加する。静電容量センサー３１５に含まれたキャパシターは電気信号が有する周期により、電荷の充電及び放電を繰り返す。電気信号が有する周期の逆数関係を持つ電気信号の周波数は静電容量センサー３１５の電荷量の変化量又は静電容量センサー３１５の電荷量を探知するのに用いるスキャン周波数（ｓｃａｎ  ｆｒｅｑｕｅｎｃｙ）に係る。
【００４６】
静電容量センサー３１５に含まれたキャパシターの充電及び放電に対しては図４で後述する。
【００４７】
本発明の多様な実施形態によれば、外部客体がディスプレイ３１０に接触又は近接する場合、キャパシターに充電された電荷は外部客体が有するキャパシタンス成分によって放電する。静電容量センサー３１５は外部客体が有するキャパシタンス成分によって変化される物理量に基づいて外部客体のディスプレイ３１０上の接触又は近接可否を判断する。例えば、静電容量センサー３１５は静電容量センサー３１５の静電容量変化又は電荷量の変化量に基づいて外部客体のディスプレイ３１０上への接触可否又は近接可否を判断する。他の例えば、静電容量センサー３１５は静電容量センサー３１５の電荷量を確認し、電荷量としきい値を比べた結果に基づいて外部客体のディスプレイ３１０上の接触可否又は近接可否を判断する。
【００４８】
本発明の多様な実施形態によれば、静電容量センサー３１５は自己の静電容量方式（ｓｅｌｆｃａｐａｃｉｔａｎｃｅ）、相互静電容量方式（ｍｕｔｕａｌ  ｃａｐａｃｉｔａｎｃｅ）など多様な方式を用いて具現され、本発明の内容は静電容量センサー３１５が用いられる方式と関係なくいずれも適用できる。
【００４９】
プロセッサ３２０は静電容量センサー３１５に対する制御を行い、外部客体がディスプレイ３１０上に接触した少なくとも一部分に対する含水率を測定する。
【００５０】
本発明の多様な実施形態によれば、プロセッサ３２０は静電容量センサー３１５に係る少なくとも一つの属性を第１属性として設定する。
【００５１】
静電容量センサー３１５に係る少なくとも一つの属性は静電容量センサー３１５の充電／放電周期、静電容量センサー３１５が充電できる電荷量値、静電容量センサー３１５が測定可能な多様な物理量（電圧、電流、キャパシタンスなど）に係る情報を意味する。プロセッサ３２０は第１属性で設定された状態で静電容量センサー３１５が動作するように静電容量センサー３１５を制御する。
【００５２】
本発明の多様な実施形態によれば、静電容量センサー３１５が第１属性で動作することはディスプレイ３１０に対する多様な外部客体の接触又は近接を検出するように動作することを意味する。
【００５３】
プロセッサ３２０は静電容量センサー３１５が第１属性で動作する状態で、静電容量センサー３１５の物理量（静電容量の変化又は電荷量の変化、電荷量）に係る第１データを獲得する。本発明の多様な実施形態によれば、第１データは静電容量センサー３１５が測定した物理量の変化量を含む。
【００５４】
プロセッサ３２０は第１データを確認し、第１データに基づいて、ディスプレイ３１０に対するタッチ入力を決定する。
【００５５】
本発明の多様な実施形態によれば、ディスプレイ３１０に表示されるコンテンツは外部客体がディスプレイ３１０上に接触する位置を指示するガイド情報、外部客体がディスプレイ３１０上に接触を維持する時間を指示するガイド情報、外部客体がディスプレイ３１０上に接触しながら生成される接触面積の最小面積を指示するガイド情報などを含む。
【００５６】
本発明の多様な実施形態によれば、外部客体がディスプレイ３１０上に接触したり近接しながら発生した静電容量センサー３１５の物理量の変化（電荷量変化又は静電容量センサー３１５の静電容量変化）を含む第１データに基づいてディスプレイ３１０に対するタッチ入力を決定する。
【００５７】
本発明の多様な実施形態によれば、ディスプレイ３１０に表示されるコンテンツは多様な画面を意味する。例えば、ディスプレイ３１０にはユーザ入力を行うための仮想キーパッド、ボタンなどのグラフィックオブジェクトがディスプレイされる。本発明の多様な実施形態によれば、プロセッサ３２０は第１データに基づいてディスプレイ３１０に対するタッチ入力（例えば、仮想キーパッド上での入力されたキーの種類、ボタンのタッチ可否など）を決定する。
【００５８】
プロセッサ３２０は指定された条件を満たす場合、静電容量センサー３１５に係る少なくとも一つの属性を第２属性として設定する。本発明の多様な実施形態によれば、プロセッサ３２０は外部客体の含水率測定のために静電容量センサー３１５に係る少なくとも一つの属性を第２属性として設定する。
【００５９】
本発明の多様な実施形態によれば、指定された条件は外部客体の含水率を測定するように決定する多様な条件を含む。外部客体がディスプレイ３１０上に接触した領域の位置、領域の大きさ、外部客体がディスプレイ３１０に接触しながらディスプレイ３１０上に加えられる圧力、外部客体がディスプレイ３１０上に接触を維持する時間などの多様な条件が外部客体の含水率を測定するように決定する多様な条件を意味する。例えば、外部客体がディスプレイ３１０上に接触した領域の面積が設定された値以上（又は、超過）であるか、外部客体がディスプレイ３１０上に接触を維持する時間が設定された値以上（又は、超過）である場合、プロセッサ３２０は指定された条件を満たすと決定する。本発明の多様な実施形態によれば、プロセッサ３２０はディスプレイ３１０上に表示されるガイド情報による外部客体の接触が指定された条件を満たすか否かを決定する。本発明の多様な実施形態によれば、ディスプレイ３１０に表示されるガイド情報は外部客体がディスプレイ３１０上に接触する位置を指示するガイド情報、外部客体がディスプレイ３１０上に接触を維持する時間を指示するガイド情報、外部客体がディスプレイ３１０上に接触しながら生成される接触面積の最小面積を指示するガイド情報などを含む。
【００６０】
本発明の多様な実施形態によれば、プロセッサ３２０は電子装置３００のユーザの意図と関係なく、外部客体の接触により発生した物理量（例えば、外部客体がディスプレイ３１０に接触した面積の大きさ、接触維持時間など）が指定された条件を満たす場合、含水率測定に係る動作を行う。例えば、ユーザが身体の一部（例えば、ユーザの耳）を電子装置３００に接触又は近接する場合（例えば、電子装置３００を用いて通話を行う状況）、プロセッサ３２０はユーザの身体の一部がディスプレイ３１０上に接触しながら発生する接触面積の大きさ、接触の維持時間などが含まれた第１データに基づいて静電容量センサー３１５の少なくとも一つの属性を第２属性として設定する。
【００６１】
本発明の多様な実施形態によれば、静電容量センサー３１５に係る少なくとも一つの属性は静電容量センサー３１５の充電／放電周期、静電容量センサー３１５が充電できる電荷量値、静電容量センサー３１５が測定可能な多様な物理量（電圧、電流、キャパシタンスなど）に係る情報を意味する。
【００６２】
本発明の多様な実施形態によれば、プロセッサ３２０は、指定された条件を満たすことによる決定に対応し、静電容量センサー３１５に係る少なくとも一つの属性を第１属性から第２属性に変更する。プロセッサ３２０は静電容量センサー３１５が第２属性で動作する間、静電容量センサー３１５の静電容量変化又は電荷量の変化又は電荷量に係る第２データを獲得する。第２データはディスプレイ３１０に接触した外部客体に係る含水率を決定するのに用いられる。
【００６３】
本発明の多様な実施形態によれば、プロセッサ３２０は静電容量センサー３１５に入力される信号の周波数を第１属性に対応する周波数から第２属性に対応する周波数に変更する。第２属性に対応する周波数に静電容量センサー３１５に入力される信号の周波数を変更することによって、プロセッサ３２０は静電容量センサー３１５の充／放電速度（ｒａｔｅ）を変更する。
【００６４】
本発明の多様な実施形態によれば、プロセッサ３２０が静電容量センサー３１５の少なくとも一つの属性を第２属性として設定する動作は、静電容量センサー３１５の充電のために入力される信号を遮断することを意味する。
【００６５】
静電容量センサー３１５に充電のために入力される信号が遮断されると、静電容量センサー３１５の電荷の充電が止められる。プロセッサ３２０は、外部客体の接触により発生する静電容量センサー３１５の電荷量の変化量又は外部客体の接触により変化された電荷量を確認するため、静電容量センサー３１５の充電のために入力される信号を遮断する（図５参照）。
【００６６】
外部客体の含水率測定の正確性のため、静電容量センサー３１５の電荷の充電を中止し、静電容量センサー３１５に残存する電荷量を用いて外部客体の含水率測定を行う。
【００６７】
本発明の多様な実施形態によれば、プロセッサ３２０が静電容量センサー３１５の少なくとも一つの属性を第２属性として設定する動作は、第１属性に対応する周波数をより小さな周波数を有する信号が静電容量センサー３１５に入力されることを意味する。
【００６８】
静電容量センサー３１５に充電のために入力される信号の周波数が低くなると、静電容量センサー３１５の充／放電速度が遅くなり、静電容量センサー３１５に充電される電荷量の大きさが小さくなる。外部客体の接触により静電容量センサー３１５の電荷量の変化量をより正確に確認するため、プロセッサ３２０は静電容量センサー３１５の充電のために入力される信号の周波数を第１属性に対応する周波数より低く設定する（図６参照）。
【００６９】
本発明の多様な実施形態によれば、プロセッサ３２０は静電容量センサー３１５の電荷量が設定された電荷量以上（又は、超過）に充電するため、静電容量センサー３１５の充／放電速度を増加させる。プロセッサ３２０は静電容量センサー３１５が有する電荷量が設定された電荷量以上（又は、超過）である場合、静電容量センサー３１５の少なくとも一つの属性を第２属性として設定する。
【００７０】
静電容量センサー３１５が第１属性で動作することは、ディスプレイ３１０上の多様な外部客体によるタッチ入力を検出するための動作を意味し、静電容量センサー３１５が第２属性で動作することは、ディスプレイ３１０に接触した外部客体の含水率を決定するために動作することを意味する。
【００７１】
本発明の多様な実施形態によれば、プロセッサ３２０は第１属性に対応する静電容量センサー３１５の電荷量が第２属性に対応する静電容量センサー３１５の電荷量より小さいように制御する。ディスプレイ３１０上のタッチ入力を検出するには静電容量センサー３１５の電荷量の変化量が大きくなくてもできる。外部客体の含水率を測定するためには静電容量センサー３１５の電荷量が大きいほど含水率測定の解像度が増加するからである。したがって、プロセッサ３２０は第１属性に対応する静電容量センサー３１５の電荷量が第２属性に対応する静電容量センサー３１５の電荷量より小さいように制御する。
【００７２】
本発明の多様な実施形態によれば、プロセッサ３２０は第２データの少なくとも一部に基づいてディスプレイ３１０に接触した外部客体に係る含水率を決定する。
【００７３】
本発明の多様な実施形態によれば、電子装置１０１は静電容量センサー３１５の電荷量の変化量と含水率がマッピングされたテーブルを一時的／非一時的に記憶するメモリー（例えば、図１のメモリー１３０）をさらに含む。
【００７４】
本発明の多様な実施形態によれば、プロセッサ３２０は第２データで静電容量センサー３１５の電荷量の変化量又は外部客体の接触により変化された電荷量を確認する。プロセッサ３２０はテーブルで確認された電荷量にマッピングされる含水率を確認する。
【００７５】
本発明の多様な実施形態によれば、電荷量の変化量と含水率は外部客体の含水率が高いほど電荷量の変化量が大きくなる相関関係を有する。メモリー１３０に記憶されたテーブルは前述した相関関係に対するデータを含むテーブルを意味する。テーブルについては図１０で後述する。
【００７６】
本発明の多様な実施形態によれば、プロセッサ３２０はユーザの身体の一部（例えば、ユーザの耳、ユーザの顔の一部、ユーザの手の一部など）がディスプレイ３１０上に接触する多様な状況（例えば、ユーザが電子装置１０１を用いて通話を行う状況、ユーザが電子装置１０１を把持しながら、身体の一部がディスプレイ３１０上に接触する状況など）を検出し、ユーザの身体の一部に対する含水率測定を行う。
【００７７】
例えば、プロセッサ３２０は電子装置１０１が通話モードで動作するか否かを確認する。本発明の多様な実施形態によれば、通話モードは電子装置１０１が通信モジュール（例えば、図１の通信モジュール１９０）を用いて外部電子装置と音声データなどを送／受信する動作モードを意味する。
【００７８】
本発明の多様な実施形態によれば、プロセッサ３２０は通信モジュール１９０が送信するデータを確認することによって電子装置１０１が通話モードで動作するか否かを確認する。
【００７９】
本発明の多様な実施形態によれば、プロセッサ３２０はグリップセンサー、赤外線を用いた近接センサーなどを含むセンサーモジュール（例えば、図１のセンサーモジュール１７６）を用いて電子装置１０１が通話モードで動作するか否かを確認する。例えば、プロセッサ３２０はグリップセンサーが出力するユーザが携帯端末の把持可否を指示するデータ又は、ユーザの身体の一部が携帯端末１００に近接するか否かを指示するデータなどを用いて電子装置１０１の通話モードへの動作可否を確認する。
【００８０】
本発明の多様な実施形態によれば、プロセッサ３２０は電子装置１０１が通話モードに進入することを確認するのに対応し、静電容量センサー３１５の少なくとも一つの属性を第２属性に設定する。プロセッサ３２０は静電容量センサー３１５が第２属性で動作する間、ディスプレイ３１０上に接触したユーザの身体の一部に対する含水率測定ができる。前記のような方式を用い、ユーザが電話をする間に、プロセッサ３２０はユーザの身体の一部に対する含水率測定がする。
【００８１】
本発明の多様な実施形態によれば、プロセッサ３２０は測定された含水率を用いて多様な応用サービスを提供する。
【００８２】
例えば、プロセッサ３２０は測定された含水率を、アクセスが認可されたアプリケーションが用いるようにできる。例えば、プロセッサ３２０は含水率情報を提供するアプリケーションに、測定された含水率情報に対するアクセスを認可する。プロセッサ３２０は測定された含水率及び測定された含水率に係る多様な付加情報をディスプレイ３１０上に出力する。
【００８３】
他に例えば、プロセッサ３２０は測定された含水率を通信モジュール１９０を用いて外部装置（例えば、サーバーなど）に送信する。外部装置は受信した含水率情報を用いてユーザの皮膚に係る多様な情報（測定された含水率に係る商品リスト、測定された含水率を用いたユーザの皮膚年齢の結果、測定された含水率を用いた油水分バランスに係る情報、水分摂取に対する提案など）を生成し、電子装置１０１に送信することもできる。
【００８４】
図４は、本発明の多様な実施形態による電子装置の静電容量センサーを示す図面である。
図４を参照すれば、本発明の多様な実施形態による電子装置に含まれた静電容量センサー（例えば、図３の静電容量センサー３１５）は複数個の送信チャンネル（Ｔｘ  Ｃｈａｎｎｅｌ、４０１、４０３、４０５、及び４０７）、複数個の受信チャンネル（Ｒｘ  Ｃｈａｎｎｅｌ、４１１、４１３、４１５、及び４１７）及び複数個の送信チャンネルのそれぞれと複数個の受信チャンネルのそれぞれに接続されるキャパシター４２１、４２３を含む。
【００８５】
本発明の多様な実施形態によれば、静電容量センサー３１５は複数個の送信チャンネルのそれぞれと複数個の受信チャンネルのそれぞれの間に接続されるキャパシターを含む。キャパシターのそれぞれは外部客体の接触によりキャパシターに充電された電荷量が変化する。図４を参照すれば、外部客体の接触により電荷量が変化したキャパシター４２１と外部客体の接触がなくて電荷量が維持されるキャパシター４２３を示している。
【００８６】
本発明の多様な実施形態によれば、静電容量センサー３１５は、プロセッサ（例えば、図３のプロセッサ３２０）の制御によって、静電容量の変化を探知するための周波数を有する信号を生成する。例えば、静電容量センサー３１５はキャパシター４２１、４２３の電荷を充電するための電気信号を送信チャンネル４０１、４０３、４０５及び４０７で送信し、キャパシター４２１、４２３は電気信号を送信チャンネル４０１、４０３、４０５及び４０７から受信して電荷を充電する。静電容量センサー３１５は受信チャンネル４１１、４１３、４１５及び４１７から受信された電気信号を用いてキャパシター４２１、４２３のそれぞれの電荷量を測定する。本発明の多様な実施形態によれば、キャパシター（例えば、４２１）は送信チャンネル（例えば、４０３）が送信する電圧又は電流を用いて電荷を充電し、キャパシター（例えば、４２１）は送信チャンネル（例えば、４０３）が送信する電圧又は電流に基づいて電荷を放電することもできる。
【００８７】
本発明の多様な実施形態によれば、静電容量センサー３１５は外部客体がディスプレイ（例えば、図３のディスプレイ３１０）に接触して発生するキャパシター４２１、４２３の電荷量の変化又はキャパシタンスの変化又はキャパシター４２１、４２３の電荷量に基づいて外部客体のディスプレイ３１０上の接触可否を検出する。
【００８８】
本発明の多様な実施形態によれば、プロセッサ３２０は外部客体がディスプレイ３１０上に接触して発生するキャパシター４２１、４２３の電荷量の変化量又はキャパシタンスの変化量又はキャパシター４２１、４２３の電荷量に基づいて外部客体の含水率を決定する。例えば、外部客体の含水率にしたがって電荷量の変化量が変わる。外部客体の含水率が高いほど外部客体の電気伝導性が高くなり、キャパシター４２１、４２３に記憶された電荷は外部客体でより多く抜け出す。反対に、外部客体の含水率が低いほど外部客体の電気伝導性が低くなり、キャパシター４２１、４２３に記憶された電荷は外部客体でより少なく抜け出す。このような原理を用い、プロセッサ３２０は電荷量の変化量に基づいて外部客体の含水率を決定する。
【００８９】
本発明の多様な実施形態によれば、プロセッサ３２０は受信チャンネル４１１、４１３、４１５及び４１７で送信する信号に基づいてキャパシター４２１、４２３の残存する電荷量を確認し、残存する電荷量に基づいて外部客体の含水率を決定する。
【００９０】
本発明の多様な実施形態によれば、プロセッサ３２０は外部客体のディスプレイ３１０上のタッチ可否を検出するために静電容量センサーに係る少なくとも一つの属性（静電容量センサー３１５）の充放電周期、静電容量センサー３１５の充放電周波数、静電容量センサー３１５の充電容量など）を第１属性として設定する。
【００９１】
本発明の多様な実施形態によれば、プロセッサ３２０は外部客体の含水率を決定するため、静電容量センサー３１５に係る少なくとも一つの属性を第２属性として決定する。
【００９２】
本発明の多様な実施形態によれば、第１属性及び第２属性は静電容量センサー３１５の送信チャンネル４０１、４０３、４０５、又は４０７から出力される信号の周波数に対する属性を意味する。これに対しては以下の図５及び図８で後述する。
【００９３】
図５乃至図８は本発明の多様な実施形態による電子装置において、静電容量センサーの送信チャンネルから受信チャンネルに入力される信号を示す図面である。
図５を参照すれば、第１属性に設定された状態で静電容量センサー３１５の送信チャンネル４０１、４０３、４０５、４０７から受信チャンネル４１１、４１３、４１５、４１７に送信される信号４３１は一定の周波数を有する方形波の波形を有する信号であっても良い。
【００９４】
第２属性に設定された状態で、静電容量センサー３１５の送信チャンネル４０１、４０３、４０５、４０７から受信チャンネル４１１、４１３、４１５、４１７に送信される信号４３３を図５に示す。
【００９５】
第２属性に設定された状態で、静電容量センサー３１５の送信チャンネル４０１、４０３、４０５、４０７から受信チャンネル４１１、４１３、４１５、４１７に送信される信号４３３の周波数は充電モード４４１である時と含水率測定モード４４３である時が異なる。
【００９６】
本発明の多様な実施形態によれば、充電モード４４１は外部客体の含水率を測定するために静電容量センサー３１５の電荷量を充電するモードを意味する。
本発明の多様な実施形態によれば、含水率測定モード４４３は外部客体の含水率を測定するモードを意味する。
【００９７】
充電モード４４１である時の信号４３３の周波数は第１属性に設定された状態での信号４３１の周波数と同一であっても良い。
本発明の多様な実施形態によれば、プロセッサ３２０は含水率測定モード４４３である時の信号４３５の周波数が０となるように設定する。信号４３５の周波数が０となることは、キャパシター４２１、４２３に電荷の充電が遮断されることを意味する。
【００９８】
本発明の多様な実施形態によれば、静電容量センサー３１５に充電のために入力される信号が遮断されると、静電容量センサー３１５の電荷の充電が止められる。プロセッサ３２０は、外部客体の接触により発生する静電容量センサー３１５の電荷の変化量を確認するため、静電容量センサー３１５の充電のために入力される信号を遮断する。
【００９９】
本発明の多様な実施形態によれば、プロセッサ３２０は外部客体の含水率測定の正確性のため、含水率測定モード４４３で静電容量センサー３１５の電荷充電を中止し、静電容量センサー３１５に残存する電荷の変化量又は残存する電荷の大きさを用いて外部客体の含水率測定を行う。
【０１００】
図６を参照すれば、第２属性に設定された状態で、静電容量センサー３１５の送信チャンネル４０１、４０３、４０５、４０７から受信チャンネル４１１、４１３、４１５、４１７に送信される信号４３３の周波数は充電モード４４１である時と含水率測定モード４４３である時が異なる。
【０１０１】
本発明の多様な実施形態によれば、プロセッサ３２０は含水率測定モード４４３である時の信号４３７の周波数を第１属性で設定された状態での信号４３１の周波数より低く設定する。信号４３７の周波数が低くなることは、キャパシター４２１、４２３に電荷の充電量を減少させることを意味する。プロセッサ３２０は、外部客体の接触により発生する静電容量センサー３１５の電荷の変化量を正確に確認するため、静電容量センサー３１５の充電のために入力される信号の周波数を減少させる。
【０１０２】
図７、８を参照すれば、第２属性に設定された状態で、静電容量センサー３１５の送信チャンネル４０１、４０３、４０５、４０７から受信チャンネル４１１、４１３、４１５、４１７に送信される信号４３３の周波数は充電モード４４１である時と含水率測定モード４４３である時がそれぞれ異なる。
【０１０３】
本発明の多様な実施形態によれば、プロセッサ３２０は充電モード４４１である時の信号４５１の周波数を第１属性に設定された状態での信号４３１の周波数より高く設定する。信号４５１の周波数を高く設定することは、充電モード４４１上でのキャパシター４２１、４２３に充電される電荷量を第１属性で動作する時のキャパシター４２１、４２３に充電される電荷量の大きさよりさらに多く充電するためである。
【０１０４】
本発明の多様な実施形態によれば、プロセッサ３２０は、キャパシター４２１、４２３に充電される電荷量がキャパシター４２１、４２３が充電できる最大の電荷量となるように、充電モード４４１である時の信号４５１の周波数を第１属性で設定された状態での信号４３１の周波数より高く設定する。
【０１０５】
プロセッサ３２０は充電モード４４１上でのキャパシター４２１、４２３に電荷をより多い充電することによって、外部客体の含水率測定の解像度を高める。
【０１０６】
本発明の多様な実施形態によれば、プロセッサ３２０は含水率測定でのモードを異なるようにし、充電モード４４１での信号４５１の周波数を変更する。例えば、プロセッサ３２０は正確な含水率測定モードに対応し、充電モード４４１での信号４５１の周波数を高め、含水率測定の解像度を高める。他に例えば、プロセッサ３２０は早い含水率測定モードに対応し、充電モード４４１での信号４５１の周波数を第１属性に設定された状態での信号４３１の周波数と同一に維持する。
【０１０７】
図７を参照すれば、プロセッサ３２０は含水率測定モード４４３である時の信号４５３の周波数が０となるように設定する。信号４５３の周波数が０となることは、キャパシター４２１、４２３に電荷の充電が遮断されることを意味する。
【０１０８】
図８を参照すれば、プロセッサ３２０は含水率測定モード４４３である時の信号４５５の周波数を第１属性に設定された状態での信号４３１の周波数より低く設定する。信号４５５の周波数が低くなることは、キャパシター４２１、４２３に電荷の充電量を減少させることを意味する。
【０１０９】
図９は、本発明の多様な実施形態による電子装置において、外部客体がディスプレイに接触する面積を示す図面である。
図９を参照すれば、本発明の多様な実施形態による電子装置（例えば、図１の電子装置１０１）のプロセッサ（例えば、図３のプロセッサ３２０）は指定された条件を満たす場合、静電容量センサー（例えば、図３の静電容量センサー３１５）の少なくとも一つの属性を第２属性に設定する。
【０１１０】
本発明の多様な実施形態によれば、指定された条件は外部客体の含水率を測定するように決定する多様な条件を意味する。指定された条件は外部客体（例えば、ユーザの顔の一部）がディスプレイ３１０上に接触した領域の大きさが設定された値以上である条件を含む。
【０１１１】
プロセッサ３２０は前記指定された条件の満足可否を確認するため、外部客体がディスプレイ３１０上に接触した領域の大きさを確認する。
図９には、プロセッサ３２０が外部客体のディスプレイ３１０上に接触した領域５１０の大きさを決定する一実施形態を示す。図９を参照すれば、プロセッサ３２０は領域５１０の長軸５１１、短軸５１３及び長軸５１１と垂直線と長軸５１１が成す角度５１５を用いて領域５１０の大きさを決定する。
【０１１２】
プロセッサ３２０が領域５１０の大きさを決定することは、図９の多様な実施形態によって具現される。
【０１１３】
図１０は、本発明の多様な実施形態による電子装置で、第２データと含水率がマッピングされたテーブルの一実施形態を示す図面である。
図１０を参照すれば、第２データの範囲（ｒａｎｇｅ）と第２データの範囲にマッピングされた含水率がマッピングされていることを確認できる。
【０１１４】
本発明の多様な実施形態による電子装置（例えば、図１の電子装置１０１）は第２属性に設定された状態で静電容量センサー（例えば、図３の静電容量センサー３１５）の電荷量の変化に係る第２データを獲得し、図１０に示したテーブルを用いて第２データに対応する含水率を確認できる。
【０１１５】
例えば、外部客体の含水率にしたがって電荷量の変化量が変わる。外部客体の含水率が高いほど外部客体の電気伝導性が高くなり、キャパシター４２１、４２３に蓄えられた電荷は外部客体でより多く抜け出す。反対に、外部客体の含水率が低いほど外部客体の電気伝導性が低くなり、キャパシター４２１、４２３に蓄えられた電荷は外部客体でより少なく抜け出す。図１０に示したテーブルを参照すれば、外部客体の含水率と第２データの相関関係が反映されていることを確認できる。
【０１１６】
本発明の多様な実施形態によれば、静電容量センサー３１５のキャパシタンス変化量を測定する解像度によって、第２データの測定範囲の区分が変わる。
【０１１７】
図１０に示したテーブルを参照すれば、第２データの測定範囲は１０段階で区分されているが、これに制限されず、静電容量センサー３１５の電荷の変化量は測定可能な解像度によって多様な段階で区別される。
【０１１８】
図１０に示したテーブルは、電荷の変化量と含水率がマッピングされているように示しているが、電荷の変化量ではなく、静電容量センサー３１５の残存する電荷量と含水率がマッピングされたテーブルの形態でも具現できる。
本発明の多様な実施形態によれば、電子装置１０１は含水率測定の時正確度を増加させる正確な含水率測定モードと早い含水率測定をサポートする早い含水率測定モードを提供することができる。電子装置１０１が動作する含水率測定モード（正確な含水率測定モード又は早い含水率測定モード）によって、第２データの測定範囲の区分が他のテーブルを用いることができる。
【０１１９】
図１１は、本発明の多様な実施形態による電子装置で、測定された含水率に係る情報を表示する一実施形態を示す図面である。
図１１を参照すれば、本発明の多様な実施形態による電子装置（例えば、図１の電子装置１０１）は第２データに基づいて測定された含水率に係る情報をディスプレイ（例えば、図３のディスプレイ３１０、７１０）上に表示する。
【０１２０】
本発明の多様な実施形態によれば、プロセッサ（例えば、図３のプロセッサ３２０）は測定された含水率を含水率に係るデータへのアクセスが認可されたアプリケーションが用いるようにできる。例えば、プロセッサ３２０は含水率情報を提供するアプリケーションに測定された含水率情報にへのアクセスを認可する。プロセッサ３２０は測定された含水率及び測定された含水率に係る多様な付加情報をディスプレイ３１０上に出力する。
【０１２１】
測定された含水率に係る多様な情報は測定された含水率に係る商品リスト、測定された含水率を用いたユーザの皮膚年齢の結果、測定された含水率を用いた油水分バランスに係る情報、水分摂取に対する提案など多様な情報を意味する。
【０１２２】
本発明の多様な実施形態によれば、プロセッサ３２０は測定された含水率に係る履歴情報を追加でメモリー（例えば、図１のメモリー１３０）に記憶し、履歴情報に係る情報をディスプレイ７１０上にディスプレイすることもできる。
【０１２３】
本発明の多様な実施形態による電子装置は、静電容量センサーを含むディスプレイと、プロセッサと、を含み、前記プロセッサは、前記静電容量センサーに係る少なくとも一つの属性を第１属性として設定し、前記第１属性で設定された状態で外部客体の接触に反応して前記静電容量センサーを用いて測定された第１データを獲得し、少なくとも前記第１データに基づいて、前記ディスプレイに対するタッチ入力を決定し、指定された条件を満たす場合、前記少なくとも一つの属性を第２属性として設定し、前記第２属性で設定された状態で前記外部客体の接触に反応して前記静電容量センサーを用いて測定された第２データを獲得し、少なくとも前記第２データに基づいて前記ディスプレイに接触した外部客体に係る含水率を決定するように設定される。
【０１２４】
本発明の多様な実施形態による電子装置で、前記プロセッサは、前記第２属性に設定する動作の少なくとも一部で、前記静電容量センサーの充電速度又は放電速度（ｒａｔｅ）のうちの少なくとも一つを変更するように設定される。
【０１２５】
本発明の多様な実施形態による電子装置で、前記プロセッサは、前記第２属性に設定する動作の少なくとも一部で、前記静電容量センサーの充電を中止するように設定される。
【０１２６】
本発明の多様な実施形態による電子装置で、前記プロセッサは、前記第２属性で設定する動作の少なくとも一部で、前記静電容量センサーの充電速度又は放電速度のうちの少なくとも一つを前記第１属性に対応する充電速度又は放電速度より減少するように設定する。
【０１２７】
本発明の多様な実施形態による電子装置で、前記プロセッサは前記指定された条件を満たすと決定したことに対応して前記静電容量センサーに含まれた少なくとも一つ以上のキャパシターの充電を前記第１属性で設定された状態での電荷量以上に充電するために前記少なくとも一つ以上のキャパシターの充電速度を増加させて、前記少なくとも一つ以上のキャパシターの電荷量が前記第１属性で設定された状態での電荷量以上に充電されることを確認するのに対応して前記少なくとも一つの属性を前記第２属性に設定する。
【０１２８】
本発明の多様な実施形態による電子装置で、前記プロセッサは、前記第２属性に設定する動作の少なくとも一部で、前記第２属性に設定された状態での前記静電容量センサーの充電電荷量が前記第１属性に設定された状態での前記静電容量センサーの充電電荷量より大きいように設定（ｓｅｔ）する。
【０１２９】
本発明の多様な実施形態による電子装置で、前記プロセッサは、前記電子装置が通話モードに進入すると、前記指定された条件を満足したと決定するように設定する。
【０１３０】
本発明の多様な実施形態による電子装置で、前記プロセッサは、前記電子装置の近接センサー、グリップセンサー、又は通信モジュールのうちの少なくとも一つを介して前記電子装置に係る状態情報を獲得し、少なくとも前記状態情報に基づいて前記通話モードに進入したか否かを確認する。
【０１３１】
本発明の多様な実施形態による電子装置で、前記プロセッサは前記第１データに基づいて前記外部客体が前記ディスプレイ上に接触した面積、前記外部客体が前記ディスプレイ上に対する接触を維持する時間を含む情報を確認し、前記確認された情報に基づいて前記指定された条件の満足可否を決定するように設定される。
【０１３２】
本発明の多様な実施形態による電子装置で、前記電子装置は前記第２データと含水率に係るデータがマッピングされたテーブルが記憶されたメモリーをさらに含み、前記プロセッサは前記テーブルに基づいて前記獲得された第２データに対応する含水率を決定するように設定される。
【０１３３】
図１２は、本発明の多様な実施形態による電子装置の動作方法の動作フローチャートである。
図１２を参照すれば、ステップ８１０で、プロセッサ（例えば、図３のプロセッサ３２０）は静電容量センサー（例えば、図３の静電容量センサー３１５）の動作に係る少なくとも一つの属性を第１属性に設定する。
【０１３４】
本発明の多様な実施形態によれば、第１属性は静電容量センサー３１５を用いてディスプレイ（例えば、図３のディスプレイ３１０）上のタッチ入力を検出するための静電容量センサー３１５に係る属性を意味する。
【０１３５】
ステップ８２０で、プロセッサ３２０は静電容量の変化に係る第１データをディスプレイ３１０を用いて獲得する。
本発明の多様な実施形態によれば、第１データは静電容量センサー３１５が第１属性に設定された状態で獲得され、第１データは静電容量センサー３１５が測定した電荷量の変化量を含む。
【０１３６】
ステップ８３０で、プロセッサ３２０はディスプレイ３１０に対するタッチ入力を決定する。
【０１３７】
本発明の多様な実施形態によれば、ディスプレイ３１０に表示されるコンテンツは多様な画面とディスプレイ３１０に表示される客体を意味する。例えば、ディスプレイ３１０にはユーザ入力を行うための仮想キーパッド、ボタンなどグラフィックオブジェクトが表示される。本発明の多様な実施形態によれば、プロセッサ３２０は第１データに基づいてディスプレイ３１０に対するタッチ入力（例えば、仮想キーパッド上での入力されたキーの種類、ボタンのタッチ可否など）を決定する。ステップ８４０で、プロセッサ３２０は指定された条件が満足されれば、静電容量センサー３１５に係る属性を第２属性に設定する。
【０１３８】
本発明の多様な実施形態によれば、指定された条件は外部客体の含水率を測定するように決定する多様な条件を含む。外部客体がディスプレイ３１０上に接触した領域の位置、領域の大きさ、外部客体がディスプレイ３１０に接触しながらディスプレイ３１０上に加えられる圧力、外部客体がディスプレイ３１０上に接触を維持する時間など多様な条件が外部客体の含水率を測定するように決定する多様な条件を意味する。例えば、外部客体がディスプレイ３１０上に接触した領域の面積が設定された値以上（又は、超過）であるか、外部客体がディスプレイ３１０上に接触を維持する時間が設定された値以上（又は、超過）である場合、プロセッサ３２０は指定された条件を満たすと決定する。
【０１３９】
本発明の多様な実施形態によれば、プロセッサ３２０はディスプレイ３１０上に表示されるガイド情報による外部客体の接触が指定された条件を満たすか否かを決定する。本発明の多様な実施形態によれば、ディスプレイ３１０に表示されるガイド情報は外部客体がディスプレイ３１０上に接触する位置を指示するガイド情報、外部客体がディスプレイ３１０上に接触を維持する時間を指示するガイド情報、外部客体がディスプレイ３１０上に接触しながら生成される接触面積の最小面積を指示するガイド情報などを含む。
【０１４０】
本発明の多様な実施形態によれば、プロセッサ３２０は、指定された条件を満たすと決定するのに対応し、静電容量センサー３１５に係る少なくとも一つの属性を第１属性からら第２属性に変更する。プロセッサ３２０は静電容量センサー３１５に入力される信号の周波数を第１属性に対応する周波数から第２属性に対応する周波数に変更する。第２属性に対応する周波数で静電容量センサー３１５に入力される信号の周波数を変更することによって、プロセッサ３２０は静電容量センサー３１５の充／放電速度（ｒａｔｅ）を変更する。
【０１４１】
ステップ８５０で、プロセッサ３２０は静電容量の変化に係る第２データを獲得する。
【０１４２】
本発明の多様な実施形態によれば、第２データは静電容量の変化、静電容量センサー３１５に残存する電荷の変化量、静電容量センサー３１５に残存する電荷量などを含む。プロセッサ３２０は電荷の変化量、電荷量などを確認し、確認された電荷の変化量又は電荷量に基づいて外部客体の含水率を決定する。
【０１４３】
本発明の多様な実施形態によれば、第２データは静電容量センサー３１５が第２属性に設定された状態で獲得される。
【０１４４】
ステップ８６０で、プロセッサ３２０は第２データを用いてディスプレイ３１０に接触した外部客体の含水率を表示する。
【０１４５】
本発明の多様な実施形態によれば、プロセッサ３２０は第２データで静電容量センサー３１５のキャパシタンスの変化量を確認する。プロセッサ３２０はテーブルで確認された変化量にマッピングされる含水率を確認できる。
【０１４６】
図１３は、本発明の他の実施形態による電子装置の動作方法の動作フローチャートである。
図１３を参照すれば、ステップ９１０で、プロセッサ（例えば、図３のプロセッサ３２０）は含水率測定をリクエストする信号を受信する。
【０１４７】
本発明の多様な実施形態によれば、含水率測定をリクエストする信号は含水率測定をサポートするアプリケーションで生成された信号を意味する。例えば、電子装置（例えば、図１の電子装置１０１）のユーザは含水率測定をサポートするアプリケーションを行うことができる。または、電子装置１０１は自動で含水率測定をサポートするアプリケーションを行うこともできる。
【０１４８】
プロセッサ３２０は含水率測定をサポートするアプリケーションで発生するイベントなど（ユーザが含水率測定を始めるイベントなど）に対応して含水率測定をリクエストする信号を受信する。
【０１４９】
ステップ９２０で、プロセッサ３２０は静電容量センサー（例えば、図３の静電容量センサー３１５）の充／放電速度を変更できる。
【０１５０】
本発明の多様な実施形態によれば、プロセッサ３２０は、含水率測定をサポートするアプリケーションが実行されるのに対応し、静電容量センサー３１５の充／放電速度を変更できる。
【０１５１】
本発明の多様な実施形態によれば、静電容量センサー３１５の充／放電速度変更は静電容量センサー３１５が第２属性に設定されて動作することを意味する。プロセッサ３２０は静電容量センサー３１５の送信チャンネル（例えば、図４の送信チャンネル４０１、４０３、４０５、４０７）から送信される信号の周波数を変更することによって、静電容量センサー３１５の充／放電速度を変更する。
【０１５２】
本発明の多様な実施形態によれば、プロセッサ３２０は静電容量センサー３１５の充／放電速度を変更することによって、静電容量センサー３１５が含水率測定以前に有している電荷量を最大値で設定できる。
【０１５３】
本発明の多様な実施形態によれば、プロセッサ３２０は含水率測定が開始されるのに対応し、送信チャンネル４０１、４０３、４０５、４０７に入力される信号の周波数を０に変更し、電荷充電を遮断できる。
【０１５４】
ステップ９３０で、プロセッサ３２０は静電容量センサー３１５の物理量の変化量を確認する。
本発明の多様な実施形態によれば、プロセッサ３２０は第２データを獲得し、第２データを用いて静電容量センサー３１５の物理量（キャパシタンス、電荷量など）又は静電容量センサー３１５の物理量の変化量を確認する。
【０１５５】
ステップ９４０で、プロセッサ３２０は変化量又は静電容量センサー３１５の物理量に基づいて含水率を決定する。
本発明の多様な実施形態によれば、プロセッサ３２０は第２データで静電容量センサー３１５のキャパシタンスの変化量を確認する。プロセッサ３２０はテーブルで確認された変化量にマッピングされる含水率を確認できる。
【０１５６】
図１４は、本発明のまた他の実施形態による電子装置の動作方法の動作フローチャートである。
図１４を参照すれば、ステップ１０１０で、プロセッサ（例えば、図３のプロセッサ３２０）は静電容量センサー（例えば、図３の静電容量センサー３１５）の出力信号をモニタリングする。
【０１５７】
本発明の多様な実施形態によれば、静電容量センサー３１５は静電容量センサー３１５に係る少なくとも一つの属性が第１属性に設定された状態で、信号を出力する。
【０１５８】
静電容量センサー３１５で出力する出力信号は多様な外部客体がディスプレイ（例えば、図３のディスプレイ３１０）上に接触又は近接することを指示する情報、外部客体がディスプレイ３１０上に接触する領域の位置、面積など多様な情報を含む。
【０１５９】
ステップ１０２０で、プロセッサ３２０は出力信号に基づいて指定された条件を満たすか確認する。
【０１６０】
本発明の多様な実施形態によれば、指定された条件は外部客体の含水率を測定するように決定できる多様な条件を含む。外部客体がディスプレイ３１０上に接触した領域の位置、領域の大きさ、外部客体がディスプレイ３１０に接触しながらディスプレイ３１０上に加えられる圧力、外部客体がディスプレイ３１０上に接触を維持する時間など多様な条件が外部客体の含水率を測定するように決定できる多様な条件を意味する。例えば、外部客体がディスプレイ３１０上に接触した領域の面積が設定された値以上（又は、超過）であるか、外部客体がディスプレイ３１０上に接触を維持する時間が設定された値以上（又は、超過）である場合、プロセッサ３２０は指定された条件を満たすと決定する。
【０１６１】
本発明の多様な実施形態によれば、プロセッサ３２０は電子装置３００のユーザの意図と関係なく、外部客体の接触により発生した物理量（例えば、接触した面積の大きさ、接触維持時間など）が指定された条件を満たす場合、含水率測定に係る動作を行う。例えば、ユーザが身体の一部（例えば、ユーザの耳）を電子装置３００に接触又は近接する場合（例えば、電子装置３００を用いて通話を行う状況）、プロセッサ３２０はユーザの身体の一部がディスプレイ３１０上に接触しながら発生する接触面積の大きさ、接触の維持時間などが含まれた第１データに基づいて静電容量センサー３１５の少なくとも一つの属性を第２属性に設定する。
【０１６２】
ステップ１０３０で、プロセッサ３２０は静電容量センサー３１５の充／放電速度を変更できる。
本発明の多様な実施形態によれば、静電容量センサー３１５の充／放電速度を変更することは含水率測定のための動作であっても良い。
【０１６３】
ステップ１０４０で、プロセッサ３２０は静電容量センサー３１５の物理量の変化量を確認する。
本発明の多様な実施形態によれば、ディスプレイ３１０に接触した外部客体の含水率にしたがって物理量の変化量が変わる。
【０１６４】
ステップ１０５０で、プロセッサ３２０は変化量に基づいて含水率を決定する。
本発明の多様な実施形態による電子装置の動作方法は、ディスプレイに含まれた静電容量センサーに係る少なくとも一つの属性を第１属性に設定する動作と、前記第１属性で設定された状態で外部客体の接触に反応して前記静電容量センサーを用いて測定された第１データを獲得する動作と、少なくとも前記第１データに基づいて、前記ディスプレイに対するタッチ入力を決定する動作と、指定された条件を満たす場合、前記少なくとも一つの属性を第２属性に設定する動作と、前記第２属性で設定された状態で前記外部客体の接触に反応して前記静電容量センサーを用いて測定された第２データを獲得する動作と、及び前記第２データに少なくとも基づいて前記ディスプレイに接触した外部客体に係る含水率を決定する動作と、を含む。
【０１６５】
本発明の多様な実施形態による電子装置の動作方法で、前記第２属性に設定する動作は前記静電容量センサーの充電速度又は放電速度（ｒａｔｅ）のうちの少なくとも一つを変更する動作を含む。
本発明の多様な実施形態による電子装置の動作方法で、前記第２属性に設定する動作は前記静電容量センサーの充電を中止する動作を含む。
【０１６６】
本発明の多様な実施形態による電子装置の動作方法で、前記第２属性に設定する動作は前記静電容量センサーの充電速度又は放電速度のうちの少なくとも一つを前記第１属性に対応する充電速度又は放電速度より減少させる動作を含む。
【０１６７】
本発明の多様な実施形態による電子装置の動作方法で、前記第２属性に設定する動作は前記指定された条件を満たすと決定するのに対応して前記静電容量センサーに含まれた少なくとも一つ以上のキャパシターの充電を前記第１属性で設定された状態での電荷量以上に充電するために前記少なくとも一つ以上のキャパシターの充電速度を増加する動作と、前記少なくとも一つ以上のキャパシターの電荷量が前記第１属性で設定された状態での電荷量以上に充電されることを確認することに対応して前記少なくとも一つの属性を前記第２属性に設定する動作を含む。
【０１６８】
本発明の多様な実施形態による電子装置の動作方法で、前記第２属性に設定する動作は前記第２属性で設定された状態での前記静電容量センサーの充電電荷量が前記第１属性で設定された状態での前記静電容量センサーの充電電荷量より大きいように前記静電容量センサーを設定する動作を含む。
【０１６９】
本発明の多様な実施形態による電子装置の動作方法は、前記電子装置が通話モードに進入したか否かを確認する動作と、及び前記電子装置が通話モードに進入すると、前記指定された条件を満足したと決定する動作をさらに含む。
【０１７０】
本発明の多様な実施形態による電子装置の動作方法で、前記通話モードに進入したか否かを確認する動作は前記電子装置の近接センサー、グリップセンサー、又は通信モジュールのうちの少なくとも一つを介して前記電子装置に係る状態情報を獲得する動作と、少なくとも前記状態情報に基づいて前記通話モードに進入したか否かを確認する動作と、を含む。
【０１７１】
本発明の多様な実施形態による電子装置の動作方法は、前記第１データに基づいて前記外部客体が前記ディスプレイ上に接触した面積、前記外部客体が前記ディスプレイ上に対する接触を維持する時間を含む情報を確認する動作と、及び前記確認された情報に基づいて前記指定された条件の満足可否を決定する動作をさらに含む。
【０１７２】
本発明の多様な実施形態による電子装置の動作方法で、前記含水率を決定する動作は前記電子装置のメモリーに記憶された前記第２データと含水率に係るデータがマッピングされたテーブルを用いて前記第２データに対応する含水率を決定する動作を含む。
【０１７３】
本文書に開示された多様な実施形態による電子装置は多様な形態の装置となる。
電子装置は、例えば、ポータブル通信装置（例えば、スマートフォン）、コンピューター装置、ポータブルマルチメディア装置、ポータブル医療機器、カメラ、ウェアラブル装置、又は家電装置のうちの少なくとも一つを含む。本文書の実施形態による電子装置は前述した機器で限定されない。
【０１７４】
本文書の多様な実施形態及びここに用いた用語は、本文書に記載した技術を特定の実施形態に限定しようとするものではなく、当該実施形態の多様な変更、均等物、及び／又は代替物を含むと理解されなければならない。図面の説明と関連して類似の構成要素に対しては類似の参照符号を用いた。単数の表現は文脈上、明白に意図しない限り、複数の表現を含む。本文書において、‘‘Ａ又はＢ’’、  ‘‘Ａ及び／又はＢのうちの少なくとも一つ’’、‘‘Ａ、Ｂ又はＣ’’又は‘‘Ａ、Ｂ及び／又はＣのうちの少なくとも一つ’’などの表現は、共に羅列された項目のすべての可能な組合を含む。‘‘第１’’、‘‘第２’’、‘‘一番目’’又は‘‘二番目’’などの表現は当該構成要素を、順序又は重要度に構わずに修飾し、一構成要素を他の構成要素と区分するために用いるだけで当該構成要素を限定しない。どんな（例えば、第１）構成要素が異なる（例えば、第２）構成要素に‘‘（機能的又は通信的に）接続され’’たり‘‘接続されて’’いると言及した時には、前記どんな構成要素が前記他の構成要素に直接的に接続されたり、他の構成要素（例えば、第３構成要素）を介して接続される。
【０１７５】
本文書で用いられる用語‘‘モジュール’’は、ハードウェア、ソフトウェア又はファームウエアから構成されたユニットを含み、例えば、ロジッグ、論理ブロック、部品、又は回路などの用語と相互互換的に用いる。モジュールは、一体から構成された部品又は一つ又はその以上の機能を実行する最小単位又はその一部となる。例えば、モジュールはＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）から構成される。
【０１７６】
本文書の多様な実施形態は機器（ｍａｃｈｉｎｅ）（例えば、コンピューター）で読み取り可能な記憶媒体（ｍａｃｈｉｎｅ−ｒｅａｄａｂｌｅ  ｓｔｏｒａｇｅ  ｍｅｄｉａ）（例えば、内装メモリー１３６）又は外装メモリー１３８）に記憶された命令語を含むソフトウェア（例えば、プログラム１４０）で具現される。機器は、記憶媒体から記憶された命令語を呼び出し、呼び出しされた命令語によって動作が可能な装置として、開示した実施形態による電子装置（例えば、電子装置１０１）を含む。前記命令がプロセッサ（例えば、プロセッサ１２０）によって実行される場合、プロセッサが直接、又は前記プロセッサの制御下に他の構成要素を用いて前記命令に該当する機能を行う。命令はコンパイラー又はインタプリターによって生成又は実行されるコードを含む。機器で読み取り可能な記憶媒体は、非一時的（ｎｏｎ−ｔｒａｎｓｉｔｏｒｙ）記憶媒体の形態で提供される。ここで、‘非一時的’は記憶媒体が信号（ｓｉｇｎａｌ）を含まず実在（ｔａｎｇｉｂｌｅ）することを意味するだけ、データが記憶媒体に半永久的又は臨時的に記憶されることを区分しない。
【０１７７】
一実施形態によれば、本文書に開示した多様な実施形態による方法は、コンピュータープログラム製品（ｃｏｍｐｕｔｅｒ  ｐｒｏｇｒａｍ  ｐｒｏｄｕｃｔ）に含まれて提供される。コンピュータープログラム製品は、商品として販売者及び購買者の間に取り引きされる。コンピュータープログラム製品は機器で読み取り可能な記憶媒体（例えば、ｃｏｍｐａｃｔ  ｄｉｓｃ  ｒｅａｄ  ｏｎｌｙ  ｍｅｍｏｒｙ（ＣＤ−ＲＯＭ））の形態で、又はアプリケーションストア（例えば、プレーストアＴＭ）を介してオンラインに配布される。オンライン配布の場合に、コンピュータープログラム製品の少なくとも一部は製造社のサーバー、アプリケーションストアのサーバー、又は中継サーバーのメモリーのような記憶媒体に少なくとも一時記憶されたり、臨時的に生成される。
【０１７８】
多様な実施形態による構成要素（例えば、モジュール又はプログラム）のそれぞれは単数又は複数の個体から構成され、前述の当該サーブ構成要素のうちの一部サーブ構成要素が省略されたり、又は他のサーブ構成要素が多様な実施形態にさらに含まれる。一部構成要素（例えば、モジュール又はプログラム）は一つの個体に統合され、統合される以前のそれぞれの当該構成要素により行われる機能を同一又は類似に行う。多様な実施形態による、モジュール、プログラム又は他の構成要素によって行われる動作は順次、並列的、繰り返し的又はヒューリスティックするように実行されたり、少なくとも一部動作が他の手順で実行されたり、省略されたり、又は他の動作が追加される。
【符号の説明】
【０１７９】
１００  ネットワーク環境
１０１、１０２、１０４  電子装置
１０８  サーバー
１２０、３２０  プロセッサ
１２１  メインプロセッサ
１２３  補助プロセッサ
１３０  メモリー
１３２  揮発性メモリー
１３６  内装メモリー
１３８  外装メモリー
１４０  プログラム
１４２  オペレーティングシステム
１４４  ミドルウェア
１４６  アプリケーション
１５０  入力装置
１５５  音響出力装置
１６０  表示装置
１７０  オーディオモジュール
１７６  センサーモジュール
１７７  インターフェース
１７８  接続端子
１７９  ハプティックモジュール
１８０  カメラモジュール
１８８  電力管理モジュール
１８９  バッテリー
１９０  通信モジュール
１９２  無線通信モジュール
１９４  有線通信モジュール
１９６  加入者識別モジュール
１９７  アンテナモジュール
１９８  第１ネットワーク
１９９  第２ネットワーク
２００  プログラムのブロック図
２０１  アプリケーションマネージャー
２０３  ウィンドウマネージャー
２０５  マルチメディアマネージャー
２０７  リソースマネージャー
２０９  パワーマネージャー
２１１  データベースマネージャー
２１３  パッケージマネージャー
２１５  コネクティビティマネージャー
２１７  ノーティフィケーションマネージャー
２１９  ロケーションマネージャー
２２１  グラフィックマネージャー
２２３  セキュリティマネージャー
２２５  通話マネージャー
２２７  音声認識マネージャー
２５１  ホーム
２５３  ダイヤラー
２５５  ＳＭＳ／ＭＭＳ
２５７  ＩＭ（ｉｎｓｔａｎｔ  ｍｅｓｓａｇｅ）
２５９  ブラウザー
２６１  カメラ
２６３  アラーム
２６５  コンタクト
２６７  音声認識
２６９  電子メール
２７１  カレンダー
２７３  メディアプレーヤー
２７５  アルバム
２７７  ウォッチ
２７９  ヘルス
２８１  環境情報
３１０、７１０  ディスプレイ
３１５  静電容量センサー
４０１、４０３、４０５、４０７  送信チャンネル
４１１、４１３、４１５、４１７  受信チャンネル
４２１、４２３  キャパシター
４３１、４３３、４３５、４３７、４５１、４５３  信号
４４１  充電モード
４４３  含水率測定モード
５１０  領域
５１１  長軸
５１３  短軸
５１５  角度
【図１】
2019098160.tif 000003
【図２】
2019098160.tif 000004
【図３】
2019098160.tif 000005
【図４】
2019098160.tif 000006
【図５】
2019098160.tif 000007
【図６】
2019098160.tif 000008
【図７】
2019098160.tif 000009
【図８】
2019098160.tif 000010
【図９】
2019098160.tif 000011
【図１０】
2019098160.tif 000012
【図１１】
2019098160.tif 000013
【図１２】
2019098160.tif 000014
【図１３】
2019098160.tif 000015
【図１４】
2019098160.tif 000016